(57)【特許請求の範囲】
【請求項１】
建物の外壁から突出する外装部材を固定するとともに、建物の床を形成する外装部材固定用床パネルであって、
その外装部材固定用床パネルの本体を形成するパネル本体と、
そのパネル本体に一端が固定されるとともに他端が建物の外壁から突出する固定連結具とを備え、
パネル本体は、その周囲に四角枠状の枠材を備え、建物の外壁面に対して直交するように配設され、
固定連結具は、建物の外壁面に対して長手方向が直角となる前記枠材に固定されるパネル固定部材と、そのパネル固定部材に一端を固定し、建物の外壁面に対して長手方向が水平となる前記枠材を他端が貫通する外装部材連結支持部材とを備え、
パネル固定部材は、水平断面形状がほぼＬ字形状であって外壁に対して長手方向が直角に位置する枠材の内側に固定されるとともに、外観形状が円筒状であってパネル固定部材の外壁に面する側に向かって貫通しその内周に外装部材連結支持部材を固定するためのねじ孔を有するねじ孔形成部と、そのねじ孔形成部の反外壁側の端部を溶接により固定され該ねじ孔形成部のパネル固定部材への取付強度を高めるための補強板とを備え、
外装部材連結支持部材は、外周表面にねじが切られ、前記ねじ孔形成部のねじ孔に一端が螺合するとともに他端が外壁の室外側表面に突出する全体形状がほぼ棒状の連結ボルトと、その連結ボルトの一端側にねじ込まれて連結ボルトの床パネルの枠材からの突出長さを調整する突出長調整機構を構成する突出長調整ナットと、前記連結ボルトの他端側にねじ込まれて連結ボルトの他端における外装部材の当接位置を調整する当接位置調整機構を構成する当接位置調整ナットとを備えるとともに、前記連結ボルトの外装部材を貫通した他端には、外装部材を前記当接位置調整ナットとの間でそれぞれ座金を介して挟持することにより連結固定するためのダブルナットが螺合して固定されるように構成され、
固定連結具は、外装部材連結支持部材の他端に外装部材を固定し、パネル固定部材と外装部材とを連結することにより、外装部材をパネル本体に支持可能に形成されていることを特徴とする外装部材固定用床パネル。
【請求項２】
建物の外壁から突出する外装部材を建物の床を形成する外装部材固定用床パネルに固定する方法であって、
外装部材固定用床パネルは、四角枠状の枠材とその枠材により形成される開口面を塞ぐ面材とからなるパネル本体と、建物の外壁面に対して長手方向が直角となる前記枠材に固定されるパネル固定部材と、そのパネル固定部材に一端が固定され、他端が建物の外壁面に対して長手方向が水平となる前記枠材を他端が貫通する外装部材連結支持部材とを備え、
パネル固定部材は、水平断面形状がほぼＬ字形状であって外壁に対して長手方向が直角に位置する枠材の内側に固定されるとともに、外観形状が円筒状であってパネル固定部材の外壁に面する側に向かって貫通しその内周に外装部材連結支持部材を固定するためのねじ孔を有するねじ孔形成部と、そのねじ孔形成部の反外壁側の端部を溶接により固定され該ねじ孔形成部のパネル固定部材への取付強度を高めるための補強板とを備え、
外装部材連結支持部材は、外周表面にねじが切られ、前記ねじ孔形成部のねじ孔に一端が螺合するとともに他端が外壁の室外側表面に突出する全体形状がほぼ棒状の連結ボルトと、その連結ボルトの一端側にねじ込まれて連結ボルトの床パネルの枠材からの突出長さを調整する突出長調整機構を構成する突出長調整ナットと、前記連結ボルトの他端側にねじ込まれて連結ボルトの他端における外装部材の当接位置を調整する当接位置調整機構を構成する当接位置調整ナットとを備えるとともに、前記連結ボルトの外装部材を貫通した他端には、外装部材を前記当接位置調整ナットとの間でそれぞれ座金を介して挟持することにより連結固定するためのダブルナットが螺合して固定されるように構成されてなり、
パネル固定部材を建物の外壁面に対して長手方向が直角となる枠材の内側に固定し、
外装部材連結支持部材の一端をパネル固定部材に固定し、
建物の外壁面に対して長手方向が水平となる枠材に外装部材連結支持部材の他端を貫通させ、
当接位置調整機構により外装部材の当接位置を調整するとともに、
突出長調整機構により外装部材連結支持部材の外壁面からの突出長さを調整し、
当接位置調整機構により外装部材の当接位置を調整した後、
外装部材を外装部材連結支持部材の一端に固定することを特徴とする外装部材の固定方法。
【発明の詳細な説明】
【０００１】
【発明の属する技術分野】
この発明は、建物の外壁から突出して固定される外装部材を固定するための外装部材固定用床パネル及びその外装部材固定用床パネルを使用して外装部材を固定する方法に関する。
【０００２】
【先行技術】
本発明の従来技術の説明に当たり、本出願人は、予め日本特許情報機構（ＪＡＰＩＯ）の先行技術調査（パトリス）の利用により、以下の検索式で昭和５５年以後の特許出願、実用新案登録出願を調査した。
検索式 ： Ｅ０４Ｂ１／００Ｂ
その結果、特許出願約８０件、実用新案登録出願約１７０件を抽出した。
その中で、実開昭５９−３２００２号に記載された「バルコニーの取付構造」に係る技術を、図６とともに以下説明する。ここで図６は、実開昭５９−３２００２号に記載された「バルコニーの取付構造」を示すための縦断面図である。
【０００３】
この技術は、その実用新案登録請求の範囲で明らかなように、壁パネル等の躯体2aの外面にモルタル等の外装材3aを固定した外壁体1aの外側に、該外壁体1aを貫通するボルト5aにより取付金物6aを固定し、該取付金物6aを介してバルコニー4aを取り付けたバルコニーの取付構造であって、上記外装材3aにおける上記ボルト5aの貫通部の周辺部のみを切欠き除去して切欠き部を形成し、該切欠き部に、該切欠き部の大きさに適合し且つ上記ボルト5aの貫通されるスペーサー8aを嵌合したものである。すなわち、ボルト5aは床パネル9aの枠材20aと、胴差し21aと、スペーサー8aと、取付金物6aとを貫通して挟み込んでいるものである。
この技術によれば、壁パネル等の躯体2aの外面に予め工場段階でモルタル等の外装材3aを固定した外壁体1aの外側に、バルコニー4aを取り付けるに際し、上記躯体2aを小さく切欠き除去し、そこにスペーサー8aを嵌合させるだけで、ボルト5a及び取り付け金物6aを介してバルコニー4aを取り付けることができるため、バルコニー4aの取付を容易且つ確実に行うことができるという効果を奏する。
【０００４】
なお、上述の床パネル9aにおいて、裏面側には面材を形成していないが、近年では、防火性能や遮音性能や、断熱性能の向上が要求され、床パネル9aの裏面側にも石膏ボードを形成する仕様が増えてきている。しかも、この石膏ボードの形成は現場ではなく工場で完了させたいという要求が増えてきている。
【０００５】
【発明が解決しようとする課題】
しかし、上記した従来の技術において、ボルト5aは建物の外壁体1aを挟み込むように形成され、バルコニー4aの重量は、建物の外壁体1aに直接加わるものであった。そして、この外壁体1aは、外気に露出しているため、日光、雨、風、雪等が直接あたり、これらの厳しい環境に曝されて局部的な劣化や変形や撓みが起こりやすい箇所であった。
そのような外壁体1aにバルコニー4aの荷重が加わるように取り付けて、長期間安定した固定構造を確保するためにはバルコニー4aが面する外壁体1aの広範囲において多数のボルト5aを使用し強固に固定しなければならず、現場施工における取付作業が容易ではないという第１の問題点があった。
【０００６】
また、バルコニー4aは、ボルト5a及び取り付け金物6aを介して建物の外壁体1aを構成する壁パネル等の躯体2aの両面を挟み込むことにより建物の外壁体1aに固定されていた。すなわち、ボルト5aは、建物の外壁体1aと床パネル9aの枠材20aとの両方に固定されていたため、外壁体1aと床パネル9aとが組み合わされた状態でなければ取り付けることができず、施工現場でなければ取り付けることができなかった。
このため、ボルト5aを予め取り付けておくことができず、床パネル9aとは別々に管理して施工現場へ運んでから行わなければならず、現場施工において手間がかかるという第２の問題点があった。
【０００７】
さらに、従来の床パネル9aにおいて、裏面側に面材を形成していない場合は、現場施工において裏面側から手を差し込んで簡単にボルト5aを取り付けることができた。
しかし、近年では、防火性能や遮音性能や、断熱性能の向上が要求され、床パネル9aの裏面側にも石膏ボードを形成する仕様が増えてきて、しかも、この石膏ボードの形成は現場ではなく工場で完了させようとすると、現場においては、床パネル9a内部へのボルト5aの取り付けが容易ではないという第３の問題点があった。
【０００８】
また、ボルト5aの長さは、床パネル9aの芯材20aの厚さや、胴差し21a等の外壁体1aの厚さにより決まるが、これらの芯材20a、胴差し21a等は種類により種々の厚さを有するものであり、また、同一種類のものでも場所により寸法誤差が発生する場合があった。
これら芯材20a等の厚さが種類により、また場所により異なることによりボルト5aの床パネル9aからの突出長さをそれに合わせるために異なる寸法形状のボルト5aを複数種類、準備しなければならず、また、バルコニー4aの取付位置もそれに合わせて調整しなければならないという第４の問題点があった。
【０００９】
そこで、請求項１記載の発明は、上記した従来の技術の有する第１、第２及び第３の問題点に鑑みてなされたものであり、その目的とするところは、外装部材を外壁に固定する場合よりも強固に固定することができて、固定箇所を減らすことができ、また、予め取り付けておくことができるため、搬送や部品管理の手間を省くことができて、現場施工を容易なものにすることができる外装部材固定用床パネルを提供しようとするものである。
【００１０】
これに加えて、この請求項１記載の発明は、パネル固定部材を建物の外壁面に対して長手方向が直角となる枠材に固定するため、外壁の一部に外装部材の全荷重及び曲げモーメントが集中することなく、外壁面に対して長手方向が直角となる枠材に沿って荷重や曲げモーメントを分散させることができ、重量がより大きな外装部材を支持することが可能な外装部材固定用床パネルを提供しようとするものである。
【００１１】
これに加えて、この請求項１記載の発明は、上記した従来の技術の有する第４の問題点に鑑みてなされたものであり、その目的とするところは、床パネルの枠材の厚さが変化しても、床パネルの枠材からの突出長さの調整が容易で現場施工を容易にすることができる外装部材固定用床パネルを提供しようとするものである。
これに加えて、この請求項１記載の発明は、外壁体の厚さが変化しても、外装部材の当接位置の調整が容易で現場施工を容易にすることができる外装部材固定用床パネルを提供しようとするものである。
【００１２】
これに加えて、この請求項１記載の発明は、簡易な構造により、現場施工における外装部材の取付作業を容易にすることができる外装部材固定用床パネルを提供しようとするものである。
請求項２記載の発明は、外壁体の厚さが変化しても外装部材の当接位置の調整を容易にすることができて、現場施工を容易にすることができる外装部材の固定方法を提供しようとするものである。
【００１３】
これに加えて、この請求項２記載の発明は、床パネルの枠材の厚さが変化しても床パネルの枠材からの突出長さの調整が容易で現場施工を容易にすることができる外装部材の固定方法を提供しようとするものである。
【００１４】
【課題を解決するための手段】
本発明は、上記した目的を達成するためのものである。
請求項１記載の発明は、建物の外壁(60)から突出する外装部材(70)を固定するとともに、建物の床を形成する外装部材固定用床パネル(10)であって、その外装部材固定用床パネル(10)の本体を形成するパネル本体(11)と、そのパネル本体(11)に一端が固定されるとともに他端が建物の外壁(60)から突出する固定連結具(90)とを備え、パネル本体(11)は、その周囲に四角枠状の枠材(13)を備え、建物の外壁(60)面に対して直交するように配設され、固定連結具(90)は、建物の外壁(60)面に対して長手方向が直角となる前記枠材(13)に固定されるパネル固定部材(20)と、そのパネル固定部材(20)に一端を固定し、建物の外壁(60)面に対して長手方向が水平となる前記枠材(13)を他端が貫通する外装部材連結支持部材(80)とを備え、パネル固定部材(20)は、水平断面形状がほぼＬ字形状であって外壁(60)に対して長手方向が直角に位置する枠材(13)の内側に固定されるとともに、外観形状が円筒状であってパネル固定部材(20)の外壁に面する側に向かって貫通しその内周に外装部材連結支持部材を固定するためのねじ孔(21)を有するねじ孔形成部(22)と、そのねじ孔形成部(22)の反外壁(60)側の端部を溶接により固定され該ねじ孔形成部(22)のパネル固定部材(20)への取付強度を高めるための補強板(24)とを備え、外装部材連結支持部材(80)は、外周表面にねじが切られ、前記ねじ孔形成部(22)のねじ孔(21)に一端が螺合するとともに他端が外壁(60)の室外側表面に突出する全体形状がほぼ棒状の連結ボルト(30)と、その連結ボルト(30)の一端側にねじ込まれて連結ボルト(30)の床パネルの枠材(13)からの突出長さを調整する突出長調整機構を構成する突出長調整ナット(40)と、前記連結ボルト(30)の他端側にねじ込まれて連結ボルト(30)の他端における外装部材(70)の当接位置を調整する当接位置調整機構を構成する当接位置調整ナット(50)とを備えるとともに、前記連結ボルト(30)の外装部材(70)を貫通した他端には、外装部材(70)を前記当接位置調整ナット(50)との間でそれぞれ座金を介して挟持することにより連結固定するためのダブルナット(31)が螺合して固定されるように構成され、固定連結具(90)は、外装部材連結支持部材(80)の他端に外装部材(70)を固定し、パネル固定部材(20)と外装部材(70)とを連結することにより、外装部材(70)をパネル本体(11)に支持可能に形成されていることを特徴とする。
【００１５】
本発明によれば、外装部材(70)が固定連結具(90)の外装部材支持部材(80)およびパネル固定部材(20)を介して床パネルのパネル本体(11)に支持される。このため、外装部材(70)を建物躯体の外側表面である外壁(60)の一部に取り付ける場合と比較して、建物躯体のより内部側に位置して剛性が高いパネル本体(11)に固定することができる。これにより、より強固に固定することができ、外壁(60)に直接、固定するよりも、少ない箇所の固定で済むこととなり、取付作業を容易にすることができる。
【００１６】
また、固定連結具(90)は、外装部材支持部材(80)やパネル固定部材(20)により、パネル本体(11)に直接、固定するため、工場出荷段階で予めパネル本体(11)に固定連結具(90)を取り付けておくことができる。これにより、搬送や部品管理の手間を省くことができて、現場施工を容易なものにすることができる。そして、予め固定連結具(90)をパネル本体(11)に取り付けておくことができるため、パネル本体(11)の両面共、石膏ボード等の耐火材で形成するような場合においても、工場においてパネル本体(11)の内部に固定連結具(90)を取り付けた後、その両面に石膏ボードを取り付けることができる。これにより、両面とも面材で覆ってしまうようなパネル本体(11)においても、予め固定連結具(90)を取り付けることができて、現場施工を容易なものにすることができる。
【００１７】
【００１８】
さらに、本発明によれば、パネル固定部材(20)は、建物の外壁(60)面に対して長手方向が直角となる枠材(13)に固定されている。このため、かかる枠材(13)には、外装部材(70)の荷重及び外装部材(70)の荷重による曲げモーメント力が外装部材連結支持部材(80)を介して加わる。これにより、外壁の一部に外装部材の全荷重及び曲げモーメントが集中することなく、外壁面に対して長手方向が直角となる枠材の長手方向に沿って荷重や曲げモーメントを分散させることができ、重量がより大きな外装部材を支持することができる。
【００１９】
また、本発明によれば、突出長調整機構(40)により、外装部材連結支持部材(80)のパネル本体(11)の枠材(13)からの突出長さを自由に設定することができる。これにより、設計仕様の違いにより、複数種類の長さの外装部材連結支持部材(80)を用意する必要もなく、１種類の長さで異なる設計仕様に対応することができ、部品管理を容易にすることができる。さらに、同一設計仕様のものでも、パネル本体(11)の枠材(13)の厚さが場所により、またパネルにより変化しても、その枠材(13)の厚さに合わせて、外装部材連結支持部材(80)の枠材(13)からの突出長さを常に一定に保持することができる。これにより、寸法誤差にも容易に対応することができて、現場施工を容易にすることができる。
【００２０】
また、本発明によれば、当接位置調整機構(50)により、外装部材連結支持部材(80)の外装部材(70)の当接位置を自由に設定することができる。これにより、設計仕様の違いにより、また、寸法誤差により、外壁(60)の厚さが変化しても、その厚さの変化に対応して外装部材(70)の当接位置を設定することができ、外壁(60)の面一に外装部材(70)を固定することができる。これにより、設計仕様の違いや寸法誤差にも容易に対応することができて、現場施工を容易にすることができる。
【００２１】
【００２２】
本発明の作用及び効果について説明する。
まず、パネル固定部材(20)におけるねじ形成部(22)のねじ孔(21)の内部に、連結ボルト(30)の一端をねじ込ませる。そして、外装部材連結支持部材(80)の一端側の枠材(13)からの突出長さが所定の長さになるまでねじ込ませ、その後、適当な突出長さで突出長調整ナット(40)を締め付けて固定する。すなわち、連結ボルト(30)のねじ込み位置を調整することにより、パネル固定部材(20)からの突出長さを所定の長さに設定することができる。これにより、床パネル(10)のパネル本体(11)の枠材(13)の厚さが種類により、また場所により変化しても、その厚さの変化に合わせて連結ボルト(30)の枠材(13)からの突出長さを所定の長さに設定することができる。
【００２３】
なお、ここで、突出長調整ナット(40)とねじ穴(21)との関係は、いわゆるダブルナットと同様の働きをするもので、突出長調整ナット(40)とねじ穴(21)とが連結ボルト(30)のねじ山に反対方向の力を加えることにより、連結ボルト(30)とねじ穴(21)との緩みを止め、両者を固定することができるものである。
次に、パネル本体(11)の枠材(13)から突出する連結ボルト(30)の他端側を外壁(60)から突出させ、連結ボルト(30)の他端側に外装部材(70)を固定する。その際、当接位置調整ナット(50)を連結ボルト(30)の所定の位置にねじ込ませることにより、連結ボルト(30)の軸方向において当接位置調整ナット(50)による外装部材(70)の当接位置を所定の位置に設定することができる。このため、パネル本体(11)と外装部材(70)との間に位置する建物の外壁(60)の厚さがその種類により、また場所により変化しても、当接位置調整ナット(50)のねじ込み位置を所定の位置に設定することにより、外装部材(70)の当接位置を外壁(60)から所定の位置に設定することができる。
【００２４】
なお、パネル固定部材(20)は、建物の外壁(60)面に対して長手方向が直角に位置する枠材(13)に固定されているが、パネル本体(11)の内部に建物の外壁(60)面に対して長手方向が直角に位置するような縦芯材が形成されている場合には、パネル固定部材(20)をかかる縦芯材に固定しても上述したものと同様の作用効果を奏することができるものである。
【００２５】
請求項２記載の発明は、建物の外壁(60)から突出する外装部材(70)を建物の床を形成する外装部材固定用床パネル(10)に固定する方法であって、外装部材固定用床パネル(10)は、四角枠状の枠材(13)とその枠材(13)により形成される開口面を塞ぐ面材(14)とからなるパネル本体(11)と、建物の外壁(60)面に対して長手方向が直角となる前記枠材(13)に固定されるパネル固定部材(20)と、そのパネル固定部材(20)に一端が固定され、他端が建物の外壁(60)面に対して長手方向が水平となる前記枠材(13)を他端が貫通する外装部材連結支持部材(80)とを備え、パネル固定部材(20)は、水平断面形状がほぼＬ字形状であって外壁(60)に対して長手方向が直角に位置する枠材(13)の内側に固定されるとともに、外観形状が円筒状であってパネル固定部材(20)の外壁に面する側に向かって貫通しその内周に外装部材連結支持部材を固定するためのねじ孔(21)を有するねじ孔形成部(22)と、そのねじ孔形成部(22)の反外壁(60)側の端部を溶接により固定され該ねじ孔形成部(22)のパネル固定部材(20)への取付強度を高めるための補強板(24)とを備え、外装部材連結支持部材(80)は、外周表面にねじが切られ、前記ねじ孔形成部(22)のねじ孔(21)に一端が螺合するとともに他端が外壁(60)の室外側表面に突出する全体形状がほぼ棒状の連結ボルト(30)と、その連結ボルト(30)の一端側にねじ込まれて連結ボルト(30)の床パネルの枠材(13)からの突出長さを調整する突出長調整機構を構成する突出長調整ナット(40)と、前記連結ボルト(30)の他端側にねじ込まれて連結ボルト(30)の他端における外装部材(70)の当接位置を調整する当接位置調整機構を構成する当接位置調整ナット(50)とを備えるとともに、前記連結ボルト(30)の外装部材(70)を貫通した他端には、外装部材(70)を前記当接位置調整ナット(50)との間でそれぞれ座金を介して挟持することにより連結固定するためのダブルナット(31)が螺合して固定されるように構成されてなり、パネル固定部材(20)を建物の外壁(60)面に対して長手方向が直角となる枠材(13)の内側に固定し、外装部材連結支持部材(80)の一端をパネル固定部材(20)に固定し、建物の外壁(60)面に対して長手方向が水平となる枠材(13)に外装部材連結支持部材(80)の他端を貫通させ、当接位置調整機構(50)により外装部材(70)の当接位置を調整するとともに、突出長調整機構(40)により外装部材連結支持部材(80)の外壁(60)面からの突出長さを調整し、当接位置調整機構(50)により外装部材(70)の当接位置を調整した後、外装部材(70)を外装部材連結支持部材(80)の一端に固定することを特徴とする。
【００２６】
本発明によれば、当接位置調整機構(50)により、外装部材連結支持部材(80)における外装部材(70)の当接位置を調整している。これにより、設計仕様が異なるタイプの場合、また、場所により寸法が少々異なるような場合、その他何らかの理由により外壁(60)の厚さが変化しても、外装部材(70)の当接位置を外壁(60)と常に面一に、あるいはその他の任意の位置に設定することができ、現場施工における取付位置の調整を容易にすることができる。
【００２７】
【００２８】
さらに、本発明によれば、突出長調整機構(40)により、外装部材連結支持部材(80)の枠材(13)からの突出長さを調整している。これにより、設計仕様が異なることによって、枠材(13)の厚さが変化しても、外装部材連結支持部材(80)の枠材(13)からの突出長さを所定の長さに設定することができる。これにより、複数種類の長さの外装部材連結支持部材(80)を保有する必要もなくて、部品管理を容易にすることができる。また、同一設計仕様のものでも、パネル本体(11)の枠材(13)の厚さが場所により、またパネルにより変化しても、その枠材(13)の厚さに合わせて、外装部材連結支持部材(80)の枠材(13)からの突出長さを常に一定に保持することができる。これにより、寸法の変化にも容易に対応することができて、現場施工を容易にすることができる。
【００２９】
【発明の実施の形態】
以下、本発明の実施の形態を図面に基づいて、更に詳しく説明する。
図１乃至図５は、本発明の実施の形態を示すものであり、図１は外装部材固定用床パネルの連結ボルトの端部が外壁から突出した状態の一部拡大断面図、図２は外装部材固定用床パネルに腕部材を取り付けた状態の一部拡大断面図、図３はその一部分解斜視図、図４は外装部材固定用床パネルと腕部材との分解斜視図、図５は連結ボルトに当接位置調整ナット及び突出長調整ナットを取り付けた状態の外観側面図をそれぞれ示す。
【００３０】
まず、本実施の形態の構成について説明する。
本実施の形態に係る外装部材固定用床パネル10は、建物の外壁60から突出する外装部材70を固定するとともに、建物の床を形成するものである。この外装部材70は、建物の外壁から突出する腕部材71と、その腕部材71に固定される外装本体72とを備えている。なお、本実施の形態に係る外装部材70の外装本体72は、バルコニーであるがもちろんこれに限定されるものではなく、フラワーボックスや庇等の建物の外壁から外に突出して固定されるものであっても良いものである。
【００３１】
上記外装部材固定用床パネル10は、建物の内部の上下階の間に水平に配置されている。そして、この外装部材固定用床パネル10は、四角枠状の枠材13とその枠材13により形成される開口面を塞ぐ面材14とからなるパネル本体11と、そのパネル本体11に一端が固定されるとともに他端が建物の外壁60から突出する固定連結具90とを備えている。その固定連結具90は、その他端に外装部材70を取り付けることにより固定連結具90を介して外装部材70をパネル本体11に支持可能に形成されている。
【００３２】
そして、固定連結具90は、建物の外壁60面に対して長手方向が直角となる前記枠材13に固定されるパネル固定部材20と、そのパネル固定部材20に一端を固定し、建物の外壁60面に対して長手方向が水平となる前記枠材13を他端が貫通する外装部材連結支持部材80とを備えている。この外装部材連結支持部材80は、その他端が外装部材70に固定されて、パネル固定部材20と外装部材70とを連結可能に形成されている。
【００３３】
前記パネル本体11の枠材13には、外装部材連結支持部材80が差し込み可能に形成された表裏に貫通するパネル貫通孔15が左右に４個づつ計８個穿設されている。
前記外壁60は、外装部材固定用床パネル10の枠材13の室外側端部に位置して建物の外壁60の水平横方向に延設された胴差し61と、その胴差し61の室外側に位置してロックウール等の不燃材からなる平板状の不燃部材62とから形成されている。そして、この胴差し61及び不燃部材62からなる外壁60には、パネル本体11のパネル貫通孔15に対応する位置に同様の表裏に貫通する外壁貫通孔63が穿設されている。
【００３４】
前記パネル固定部材20は、水平断面形状がほぼＬ字形状であって、パネル本体11の枠材13の内側角部にはめ込まれて固定されている。具体的には、パネル固定部材20は、外壁60に対して長手方向が直角に位置する枠材13に向かって４本の固定ねじ23により固定されている。そして、パネル固定部材20は、外観形状が円筒状であってパネル固定部材20の外壁に面する側に向かって貫通するねじ孔形成部22と、そのねじ孔形成部22の反外壁60側の端部を溶接により固定する補強板24とを備えている。前記ねじ孔形成部22は、その内周に外装部材連結支持部材80を固定するためのねじ孔21がねじ切られている。
前記補強板24と、ねじ孔形成部22と、パネル固定部材20とは、それらが互いに当接する端縁同士をすみ肉溶接により固定しているものである。すなわち、補強板24は、ねじ孔形成部22をパネル固定部材20に取り付ける部分の剛性を高め、ねじ孔形成部22のパネル固定部材20への取付強度を高めているものである。
【００３５】
なお、ねじ孔形成部22は、上述したものに限定されるものではなく、パネル固定部材20にねじ孔21を形成するものであれば他の構造のものでも良いものである。例えば、ナット等を溶接によりパネル固定部材20に固定しても良く、また、ねじ孔を形成する部分をパネル固定部材20の一体物として最初から形成しても良いものである。
【００３６】
前記外装部材連結支持部材80は、外周表面にねじが切られ、前記ねじ孔形成部22のねじ孔21に一端が螺合するとともに他端が外壁60の室外側表面に突出する全体形状がほぼ棒状の連結ボルト30と、その連結ボルト30の一端側にねじ込まれて連結ボルト30の床パネルの枠材13からの突出長さを調整する突出長調整ナット40と、前記連結ボルト30の他端側にねじ込まれて連結ボルト30の他端における外装部材70の当接位置を調整する当接位置調整ナット50とを備えている。
【００３７】
前記連結ボルト30は、パネル本体11側に位置する大径部34と、腕部材71側に位置するとともに前記大径部34より径が小さな小径部35とから形成されている。そして、突出長調整ナット40と当接位置調整ナット50とは、連結ボルト30の大径部34に螺合するように内周面がねじ切られ、また、枠材13のパネル貫通孔15と、外壁60の外壁貫通孔63との内部に挿入可能なようにパネル貫通孔15及び外壁貫通孔63より小さな外径を有しているものである。そして、連結ボルト30の軸上であって、当接位置調整ナット50に隣接して連結ボルト30の自由端側に向かって順に、円板状の調整ナット側座金32、外装部材70の腕部材71、円板状のダブルナット側座金33及びダブルナット31が差し込まれている。すなわち、調整ナット側座金32及びダブルナット側座金33を両面に有する腕部材71は、当接位置調整ナット50とダブルナット31により連結ボルト30の軸上に固定されている。
【００３８】
本実施の形態に係る外装部材固定用床パネル10の作用及び効果について説明する。
まず、パネル固定部材20のねじ孔形成部22のねじ孔21の内部に、連結ボルト30の大径部34側の一端をねじ込ませる。そして、外装部材連結支持部材80の小径部35側の一端側の枠材13からの突出長さが所定の長さになるまでねじ込ませ、その後、適当な突出長さで突出長調整ナット40をねじ孔形成部22側に向かって締め付ける。これにより、突出長調整ナット40とねじ穴21とは、いわゆるダブルナットと同様の働きをし、連結ボルト30のねじ山に両者が反対方向の力を加えて、連結ボルト30とねじ穴21との緩みを止めて連結ボルト30を固定する。
すなわち、連結ボルト30のねじ込み位置を調整することにより、パネル固定部材20からの外装部材連結支持部材80の連結ボルト30の突出長さを所定の長さに設定することができる。これにより、床パネル10のパネル本体11の枠材13の厚さが種類により、また場所により変化しても、その厚さの変化に合わせて連結ボルト30の枠材13からの突出長さを所定の長さに設定することができる。
【００３９】
次に、パネル本体11の枠材13から突出する連結ボルト30が胴差し61及び不燃部材62からなる外壁60の外壁貫通孔63にはまり込むように外壁60を形成する。もちろん、組立施工の都合により、当接位置調整ナット50及び突出長調整ナット40を有する連結ボルト30をねじ孔形成部22のねじ孔21から外しておき、パネル本体11を所定の位置に固定した後、外壁60に外壁貫通孔63を形成して室外側から連結ボルト30をねじ込んでも良い。
【００４０】
そして、連結ボルト30の小径部35側を外壁60から室外側に向かって突出させる。
次に、突出する連結ボルト30の小径部35に当接位置調整ナット50側から順に、調整ナット側座金32、腕部材71、ダブルナット側座金33及びダブルナット31をはめ込む。そして、当接位置調整ナット50及びダブルナット31を用いて腕部材71を挟み込むことにより、連結ボルト30の小径部35側に外装部材70の腕部材71を固定する。その際、当接位置調整ナット50を連結ボルト30の軸上の所定の位置にねじ込ませることにより、連結ボルト30の軸方向において当接位置調整ナット50による腕部材71の当接位置を所定の位置に設定することができる。このため、パネル本体11と外装部材70との間に位置する建物の外壁60の厚さがその種類により、また場所により変化しても、当接位置調整ナット50のねじ込み位置を所定の位置に設定することにより、外装部材70の当接位置を外壁60から所定の位置に自由に設定することができる。
【００４１】
なお、パネル固定部材20は、建物の外壁60面に対して長手方向が直角に位置する枠材13に固定されているが、パネル固定部材20の固定位置は特にこれに限定されるものではない。例えば、図示しないがパネル本体11の内部に建物の外壁60面に対して長手方向が直角に位置するような縦芯材が形成されている場合には、パネル固定部材20をその縦芯材に固定しても上述したものと同様の作用効果を奏することができる。また、パネル固定部材20を建物の外壁60面に対して長手方向が平行に位置する枠材13に固定しても良く、更に、パネル本体11の面材14に固定しても上述したものと同様の作用効果を奏することができる。
【００４２】
また、パネル本体11の室外側に予め外壁60となるものを形成してあるような外装部材固定用床パネル10であっても、外壁60の外壁貫通孔63から当接位置調整ナット50、突出長調整ナット40及び連結ボルト30を所定の位置にねじ込むことにより、連結ボルト30の枠材13からの突出長さと、外壁60からの突出長さとを容易に調整することができる。
【００４３】
【発明の効果】
本発明は、以上のように構成されているので、以下に記載されるような効果を奏する。
請求項１記載の発明によれば、外装部材を外壁に固定する場合よりも強固に固定することができて、固定箇所を減らすことができ、また、予め取り付けておくことができるため、搬送や部品管理の手間を省くことができて、現場施工を容易なものにすることができる外装部材固定用床パネルを提供することができる。
【００４４】
さらに、この請求項１記載の発明によれば、パネル固定部材を建物の外壁面に対して長手方向が直角となる枠材に固定するため、外壁の一部に外装部材の全荷重及び曲げモーメントが集中することなく、外壁面に対して長手方向が直角となる枠材に沿って荷重や曲げモーメントを分散させることができ、重量がより大きな外装部材を支持することが可能な外装部材固定用床パネルを提供することができる。
【００４５】
また、この請求項１記載の発明によれば、床パネルの枠材の厚さが変化しても、床パネルの枠材からの突出長さの調整が容易で現場施工を容易にすることができる外装部材固定用床パネルを提供することができる。
さらに、この請求項１記載の発明によれば、外壁体の厚さが変化しても、外装部材の当接位置の調整が容易で現場施工を容易にすることができる外装部材固定用床パネルを提供することができる。
【００４６】
また、この請求項１記載の発明によれば、簡易な構造により、現場施工における外装部材の取付作業を容易にすることができる外装部材固定用床パネルを提供することができる。
請求項２記載の発明によれば、外壁体の厚さが変化しても外装部材の当接位置の調整を容易にすることができて、現場施工を容易にすることができる外装部材の固定方法を提供することができる。
【００４７】
また、この請求項２記載の発明によれば、床パネルの枠材の厚さが変化しても床パネルの枠材からの突出長さの調整が容易で現場施工を容易にすることができる外装部材の固定方法を提供することができる。
【図面の簡単な説明】
【図１】  本発明の実施の形態を示すものであって、外装部材固定用床パネルの連結ボルトの端部が外壁から突出した状態を示す一部拡大断面図である。
【図２】  本発明の実施の形態を示すものであって、外装部材固定用床パネルに腕部材を取り付けた状態を示す一部拡大断面図である。
【図３】  本発明の実施の形態を示すものであって、外装部材固定用床パネルと腕部材とを示す一部分解斜視図である。
【図４】  本発明の実施の形態を示すものであって、外装部材固定用床パネルと腕部材とを示す分解斜視図である。
【図５】  本発明の実施の形態を示すものであって、連結ボルトに当接位置調整ナット及び突出長調整ナットを取り付けた状態を示す外観側面図である。
【図６】  実開昭５９−３２００２号に記載された「バルコニーの取付構造」を示すための縦断面図である。
【符号の説明】
10…外装部材固定用床パネル、11…パネル本体、13…枠材、14…面材、15…パネル貫通孔、20…パネル固定部材、21…ねじ孔、22…ねじ孔形成部、23…固定ねじ、24…補強板、30…連結ボルト、31…ダブルナット、32…調整ナット側座金、33…ダブルナット側座金、34…大径部、35…小径部、40…突出長調整ナット、50…当接位置調整ナット、60…外壁、61…胴差し、62…不燃部材、63…外壁貫通孔、70…外装部材、71…腕部材、72…外装本体、80…外装部材連結支持部材、90…固定連結具、1a…外壁体、2a…躯体、3a…外装材、4a…バルコニー、5a…ボルト、6a…取付金物、8a…スペーサー、9a…床パネル、20a…枠材、21a…胴差し。
【図１】
0003734569.tif 000002
【図２】
0003734569.tif 000003
【図３】
0003734569.tif 000004
【図４】
0003734569.tif 000005
【図５】
0003734569.tif 000006
【図６】
0003734569.tif 000007